(57)【要約】【課題】プラズマディスプレイパネルにおいて、書き込み時にパネルに流れる電流の増大を抑制することを目的とする。【解決手段】走査電極４および維持電極５を形成した前面基板とデータ電極を形成した背面基板とを対向配置したプラズマディスプレイパネルにおいて、走査電極４と維持電極５との間の放電ギャップ幅Ｇ１、Ｇ２について、パネルの左右端部の放電ギャップ幅Ｇ２をパネル中央部の放電ギャップ幅Ｇ１に対して広い放電ギャップ幅としたものである。【選択図】図４
2008305563.tif 000002
【特許請求の範囲】
【請求項１】
走査電極および維持電極を形成した前面基板とデータ電極を形成した背面基板とを対向配置したプラズマディスプレイパネルであって、
前記走査電極と維持電極との間の放電ギャップ幅を、パネルの中央部に対して、パネルの左右端部において異なる幅としたことを特徴とするプラズマディスプレイパネル。
【請求項２】
前記放電ギャップ幅において、パネルの左右端部の放電ギャップ幅をパネル中央部の放電ギャップ幅に対して広い放電ギャップ幅としたことを特徴とする請求項１に記載のプラズマディスプレイパネル。
【発明の詳細な説明】
【技術分野】
【０００１】
本発明は、プラズマディスプレイパネルに関する。
【背景技術】
【０００２】
プラズマディスプレイパネル（以下、ＰＤＰと略記する）は一般に、ｎ個の走査電極ＳＣＮ１〜ＳＣＮｎおよびｎ個の維持電極ＳＵＳ１〜ＳＵＳｎが対をなして配列された前面基板と、ｍ個のデータ電極Ｄ１〜Ｄｍが配列された背面基板とが放電空間を挟んで互いに対向配置されて構成されている。したがって、１対の走査電極ＳＣＮｉ−維持電極ＳＵＳｉ対（ｉ＝１〜ｎ）と１つのデータ電極Ｄｊ（ｊ＝１〜ｍ）とを含む放電セルが放電空間内に多数（この場合はｍ×ｎ）個形成されている。
【０００３】
また、ＰＤＰを用いた画像表示装置は、映像信号の１フィールド期間を輝度の重み付け（輝度重み）を有する複数のサブフィールドに分割し、各々のサブフィールドで輝度重みに対応した回数だけ放電セルに放電を起こす。そして、放電を起こすサブフィールドを組み合わせることで映像信号の階調を表現する駆動方法が用いられている。この中で、階調表現に関係しない発光の回数を極力減らしコントラスト比を向上するための駆動方法（高コントラスト駆動）が提案されている（例えば特許文献１参照）。
【特許文献１】特開２０００−２４２２２４号公報
【発明の開示】
【発明が解決しようとする課題】
【０００４】
プラズマディスプレイパネルにおいて、パネルが大きくなると、書き込み動作の際に流れる電流も増大してくる。書き込み電流の増大は、回路素子の損傷や駆動電圧の上昇を引き起こしてしまう。そのため、大きな有効画面を持つパネルについては、画面を左右に２分割して、書き込み時のタイミングを変更し、電流を分散させることによって、その課題を解決しているものもある。しかし、駆動時間を必要としてしまうため、輝度が低下するという問題がある。
【０００５】
本発明は書き込み時にパネルに流れる電流の増大を抑制することを目的とする。
【課題を解決するための手段】
【０００６】
この目的を達成するために本発明のプラズマディスプレイパネルは、パネル中央部と左右端部において、異なる放電ギャップ幅としたことを特徴とする。
【発明の効果】
【０００７】
これにより、パネル中央部と左右端部において、書き込み時に流れる電流がずれることにより、同時に大きな電流が流れなく、書き込み時の電流の増大を抑制することができる。
【発明を実施するための最良の形態】
【０００８】
以下、本発明の一実施の形態によるプラズマディスプレイパネルについて図面を用いながら説明するが、本発明の実施の形態はこれに制限されるものではない。
【０００９】
図１は本発明の一実施の形態に用いるプラズマディスプレイパネルの構造を示す分解斜視図である。プラズマディスプレイパネル１は、対向して配置された前面基板２と背面基板３とを有している。前面基板２は、前面ガラス板４上に走査電極５と維持電極６とが互いに平行に対をなして複数対形成されている。そして、これらの走査電極５と維持電極６とを覆うように誘電体層７が形成され、この誘電体層７の表面を覆うように保護層８が形成されている。
【００１０】
背面基板３は、背面ガラス板９上にデータ電極１０が互いに平行に複数形成され、このデータ電極１０を覆うように誘電体層１１が形成されている。そして、この誘電体層１１上に書き込み電極１０と平行に隔壁１２が複数形成され、誘電体層１１の表面と隔壁１２の側面とに蛍光体層１３が形成されている。さらに、前面基板２と背面基板３とに挟まれた放電空間１４には、放電ガスが封入されている。
【００１１】
図２はプラズマディスプレイパネル１の電極配列図である。列方向にｍ列のデータ電極Ｄ１〜Ｄｍ（図１のデータ電極１０）が配列され、行方向にｎ行の走査電極ＳＣＮ１〜ＳＣＮｎ（図１の走査電極５）とｎ行の維持電極ＳＵＳ１〜ＳＵＳｎ（図１の維持電極６）とが交互に配列されている。そして、１対の走査電極ＳＣＮｉ、維持電極ＳＵＳｉ（ｉ＝１〜ｎ）と１つのデータ電極Ｄｊ（ｊ＝１〜ｍ）とを含む放電セル１４が放電空間内にｍ×ｎ個形成されている。
【００１２】
次に、プラズマディスプレイパネルを駆動するための駆動波形とそのタイミングについて説明する。なお本実施の形態においては、１フィールド期間が初期化期間、書き込み期間、維持期間を有する第１〜第８サブフィールドから構成されているものとして説明するが、他のサブフィールド構成であってもよい。
【００１３】
図３は、プラズマディスプレイパネルの駆動方法の駆動波形図である。第１サブフィールドの初期化期間前半部では、全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下の電圧Ｖｐ（Ｖ）から、放電開始電圧を超える電圧Ｖｒ（Ｖ）に向かって緩やかに上昇するランプ波形電圧を第１の上り傾斜波形電圧として印加する。このランプ電圧が上昇する間に、全ての放電セルにおいて、全ての走査電極ＳＣＮ１〜ＳＣＮｎから全ての維持電極ＳＵＳ１〜ＳＵＳｎおよび全てのデータ電極Ｄ１〜Ｄｍにそれぞれ一回目の微弱な初期化放電が起こり、走査電極ＳＣＮ１〜ＳＣＮｎ上部に負の壁電圧が蓄積されるとともに、全てのデータ電極Ｄ１〜Ｄｍ上部および全ての維持電極ＳＵＳ１〜ＳＵＳｎ上部には正の壁電圧が蓄積される。
【００１４】
第１サブフィールドの初期化期間後半部１ａでは、全ての維持電極ＳＵＳ１〜ＳＵＳｎを正電圧Ｖｅ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｑ（Ｖ）から放電開始電圧を超える電圧Ｖａ’（Ｖ）に向かって緩やかに下降するランプ波形電圧を印加する。このランプ電圧が下降する間に、再び全ての放電セルにおいて、全ての維持電極ＳＵＳ１〜ＳＵＳｎから全ての走査電極ＳＣＮ１〜ＳＣＮｎにそれぞれ二回目の微弱な初期化放電が起こり、全ての走査電極ＳＣＮ１〜ＳＣＮｎ上部の負の壁電圧および全ての維持電極ＳＵＳ１〜ＳＵＳｎ上部の正の壁電圧が弱められる。また、全てのデータ電極Ｄ１〜Ｄｍと全ての走査電極ＳＣＮ１〜ＳＣＮｎとの間にも微弱な放電が起こり、全てのデータ電極Ｄ１〜Ｄｍ上部の正の壁電圧は書き込み動作に適した値に調整される。以上により全ての放電セルを強制的に放電させる完全初期化動作が終了する。
【００１５】
第１サブフィールドの書き込み期間では、全ての走査電極ＳＣＮ１〜ＳＣＮｎを一旦Ｖｓｃａｎ（Ｖ）に保持し、データ電極Ｄ１〜Ｄｍのうち、一行目に表示すべき放電セルに対応するデータ電極Ｄｋ（ｋは１〜ｍの整数を表す）に正の書き込みパルス電圧Ｖｄａｔａ（Ｖ）を、一行目の走査電極ＳＣＮ１に走査パルス電圧Ｖａ（Ｖ）をそれぞれ印加する。このとき、正の書き込みパルス電圧Ｖｄａｔａ（Ｖ）を印加したデータ電極Ｄｋ上部と走査電極ＳＣＮ１上部との交差部における電圧差は、書き込みパルス電圧Ｖｄａｔａ（Ｖ）にデータ電極Ｄ１〜Ｄｍ上部の正の壁電圧が加算されたものとなり、放電開始電圧を超えるので、この交差部において、維持電極ＳＵＳ１と走査電極ＳＣＮ１との間およびデータ電極Ｄｋと走査電極ＳＣＮ１との間に書き込み放電が起こり、この交差部の走査電極ＳＣＮ１上部に正電圧が蓄積され、維持電極ＳＵＳ１上部に負電圧が蓄積され、書き込み放電が起こったデータ電極Ｄｋ上部に負電圧が蓄積される。一方、正の書き込みパルス電圧Ｖｄａｔａ（Ｖ）を印加しなかったデータ電極Ｄｌ（ｌは１〜ｍの整数を表す）上部と走査電極ＳＣＮ１上部との交差部における電圧差は放電開始電圧を超えないので書き込み放電は発生しない。
【００１６】
同様の書き込み動作をｎ行目の放電セルに至るまで行い、書き込み動作が終了する。
【００１７】
第１サブフィールドの維持期間においては、まず、全ての走査電極ＳＣＮ１〜ＳＣＮｎおよび維持電極ＳＵＳ１〜ＳＵＳｎを０（Ｖ）に一旦戻した後、全ての走査電極ＳＣＮ１〜ＳＣＮｎに正の維持パルス電圧Ｖｓｓ（Ｖ）を印加する。このとき、書き込み放電を起こした放電セルにおける走査電極ＳＣＮｉ上部と維持電極ＳＵＳｉ上部との間の電圧は、書き込み期間において、走査電極ＳＣＮｉ上部に蓄積された正の壁電圧および維持電極ＳＵＳｉ上部に蓄積された負の壁電圧を加算したものにさらに維持パルス電圧Ｖｓｓ（Ｖ）を加算したものとなり、放電開始電圧を超える。このため、書き込み放電を起こした放電セルにおいて、走査電極ＳＣＮｉと維持電極ＳＵＳｉとの間に維持放電が起こり、この維持放電を起こした放電セルにおける走査電極ＳＣＮｉ上部には負の壁電圧が蓄積され、維持電極ＳＵＳｉ上部には正の壁電圧が蓄積される。続いて、全ての走査電極ＳＣＮ１〜ＳＣＮｎを０（Ｖ）に戻し、全ての維持電極ＳＵＳ１〜ＳＵＳｎに正の維持パルス電圧Ｖｓｓ（Ｖ）を印加すると、維持放電を起こした放電セルにおける維持電極ＳＵＳｉ上部と走査電極ＳＣＮｉ上部との間の電圧は、再び放電開始電圧を超え、維持電極ＳＵＳｉと走査電極ＳＣＮｉとの間に維持放電が起こる。以降同様に、全ての走査電極ＳＣＮ１〜ＳＣＮｎと全ての維持電極ＳＵＳ１〜ＳＵＳｎとに正の維持パルス電圧Ｖｓｓ（Ｖ）を交互に印加することにより、書き込み放電を起こした放電セルに対してサブフィールドの輝度の重み付けに対応した回数だけ維持放電が継続して行われる。
【００１８】
一方、書き込み放電を起こさなかった放電セルにおける走査電極ＳＣＮｉ上部と維持電極ＳＵＳｉ上部の壁電圧は、第１サブフィールドの初期化期間後半部において弱められたままであるので、維持電圧印加時においても走査電極ＳＣＮｉ上部と維持電極ＳＵＳｉ上部との間は放電開始電圧を超えることがない。このため、書き込み放電を起こさなかった放電セルには維持放電を起こさない。
【００１９】
第２〜第８サブフィールドの初期化期間の後半部２ａでは、全ての維持電極ＳＵＳ１〜ＳＵＳｎを正電圧Ｖｅ（Ｖ）に保ち、全ての走査電極ＳＣＮ１〜ＳＣＮｎには０（Ｖ）からＶａ’（Ｖ）に向かって緩やかに下降するランプ波形電圧を印加する。このとき、維持放電を起こした放電セルにおいては、維持電極ＳＵＳｉから走査電極ＳＣＮｉに二回目の微弱な初期化放電が起こり、走査電極ＳＣＮｉ上部の負の壁電圧および維持電極ＳＵＳｉ上部の正の壁電圧が弱められる。また、データ電極Ｄｋと走査電極ＳＣＮｉとの間にも微弱な放電が起こり、電極Ｄｋ上部の正の壁電圧は書き込み動作に適した値に調整される。
【００２０】
一方、維持放電を起こさなかった放電セルは、走査電極ＳＣＮｉと維持電極ＳＵＳｉとの間の放電は起こらない。また、走査電極ＳＣＮｉとデータ電極Ｄｌとの間の放電も発生しない。
【００２１】
また、維持放電を起こさなかった放電セルのうち、隣接放電セルの書き込み放電あるいは維持放電の影響を受けてデータ電極Ｄｌ’上部の正の壁電圧に不足を生じた放電セルに対しては、走査電極ＳＣＮｉと維持電極ＳＵＳｉ間の放電は起こらない。しかし、データ電極Ｄｌ’と走査電極ＳＣＮｉとの間には微弱な放電が起こり、電極Ｄｌ’上部の正の壁電圧は書き込み動作に適した値に調整される。
【００２２】
以上のように、維持放電を起こした放電セル、維持放電を起こさなかった放電セルのうち隣接する放電セルの書き込み放電あるいは維持放電の影響を受けてデータ電極上部の正の壁電圧に不足を生じた放電セルいずれの場合においても、走査電極、維持電極、データ電極の各電極上部の壁電圧は第１サブフィールドにおける第１種初期化動作終了時の壁電圧と等しくなる。
【００２３】
第２〜第８サブフィールドの書き込み期間、維持期間については第１サブフィールドにおける動作と同様であるため説明を省略する。なお、本実施の形態のＰＤＰの駆動方法においては、第１サブフィールドの初期化期間において完全初期化動作を行ったが、完全初期化動作は、他の任意のサブフィールドの初期化期間に行ってもよく、また、複数フィールドに１回（たとえば２フィールドに１回）行ってもよい。
【００２４】
ところで、ＰＤＰの大画面化において、書き込み電流の増大が過大となり、駆動電圧の上昇が問題となってきている。そのため、書き込みのタイミングを同じにした場合の書き込み電流のタイミングについて、放電ギャップ幅を広くすることによって、変更することができる。しかし、パネル全体において、放電ギャップ幅を変更するとパネルの容量が増大してしまうため、無効電力が増大する。そのため、本発明においては、パネル中央部においては狭い放電ギャップ幅を有し、パネル左右端部においては、広い放電ギャップ幅を有することを特徴としている。
【００２５】
その変化量はパネル左右方向について、徐々に変化することを特徴としている。
【００２６】
図４に本発明による放電ギャップ幅を示す。
【００２７】
図４に示すように、走査電極４と維持電極５との間の放電ギャップ幅Ｇ１、Ｇ２について、パネル中央部の放電ギャップ幅Ｇ１に対して、パネル左右端部の放電ギャップ幅Ｇ２が広くなるように構成している。また、走査電極４、維持電極５の幅は、パネルの中央部と左右端部において、同じ幅で構成している。
【００２８】
このように本発明によれば、放電ギャップ幅Ｇ１、Ｇ２を異ならせたことにより、書き込み電流の増大を抑制することができる。
【産業上の利用可能性】
【００２９】
以上のように本発明は、ＰＤＰの大画面化に有用な発明である。
【図面の簡単な説明】
【００３０】
【図１】本発明の一実施の形態に用いるプラズマディスプレイパネルの構造を示す分解斜視図
【図２】本発明のプラズマディスプレイパネルの電極配列図
【図３】プラズマディスプレイパネルの駆動方法の駆動波形図
【図４】本発明における放電ギャップ幅を示す説明図
【符号の説明】
【００３１】
２  前面基板
３  背面基板
４  前面ガラス板
５  走査電極
６  維持電極
７  誘電体層
８  保護層
９  背面ガラス板
１０  データ電極
１１  誘電体層
１２  隔壁
１３  蛍光体層
１４  放電セル
Ｇ１、Ｇ２  放電ギャップ幅
【図１】
2008305563.tif 000003
【図２】
2008305563.tif 000004
【図３】
2008305563.tif 000005
【図４】
2008305563.tif 000006